(57)【要約】  本発明のディスプレイ装置（２００）は、視聴者の方向に合わせて表示パネル（２３０）の姿勢を調整するために、リモートコントローラ（１００）から送信されてきた制御信号の受信範囲が所定の角度領域に制限された受光センサ（２１１）を回転させた状態で制御信号を受信し、その受信レベルが最大となる受光センサ（２１１）の向きに応じて、表示パネル（２３０）を回転させる。
2011142016.tif 000002
【特許請求の範囲】
【請求項１】
受信した制御信号に応じて表示パネルの姿勢を異なるものとするディスプレイ装置と、前記制御信号を送信するリモートコントローラと、を具備する表示システムであって、
前記ディスプレイ装置は、
前記表示パネルの向きを回転させる表示パネル回転機構と、
前記制御信号の受信範囲が所定の角度領域に制限された方向調整用受光センサと、
前記方向調整用受光センサの向きを前記表示パネルと同じ回転軸にて回転させる受光センサ回転機構と、を有し、
前記方向調整用受光センサは、前記受光センサ回転機構により回転された状態で前記制御信号を受信し、
前記表示パネル回転機構は、前記制御信号の受信レベルが最大となる前記方向調整用受光センサの向きを検出し、該検出した向きに応じて前記表示パネルを回転させることを特徴とする表示システム。
【請求項２】
請求項１記載の表示システムにおいて、
前記ディスプレイ装置は、
前記制御信号の受信範囲が前記方向調整用受光センサよりも広いセンシング用受光センサを更に有し、
前記受光センサ回転機構は、前記センシング用受光センサにより前記制御信号が受信された場合に、前記方向調整用受光センサを回転させることを特徴とする表示システム。
【請求項３】
請求項１または２記載の表示システムにおいて、
前記リモコンは、前記表示パネルの姿勢を異なるものとするための操作が入力されると、前記方向調整用受光センサが所定の角度だけ回転するのに要する時間以上、前記制御信号を送信することを特徴とする表示システム。
【請求項４】
受信した制御信号に応じて表示パネルの姿勢を異なるものとするディスプレイ装置であって、
前記表示パネルの向きを回転させる表示パネル回転機構と、
前記制御信号の受信範囲が所定の角度領域に制限された方向調整用受光センサと、
前記方向調整用受光センサの向きを前記表示パネルと同じ回転軸にて回転させる受光センサ回転機構と、を有し、
前記方向調整用受光センサは、前記受光センサ回転機構により回転された状態で前記制御信号を受信し、
前記表示パネル回転機構は、前記制御信号の受信レベルが最大となる前記方向調整用受光センサの向きを検出し、該検出した向きに応じて前記表示パネルを回転させることを特徴とするディスプレイ装置。
【請求項５】
請求項４記載のディスプレイ装置において、
前記制御信号の受信範囲が前記方向調整用受光センサよりも広いセンシング用受光センサを更に有し、
前記受光センサ回転機構は、前記センシング用受光センサにより前記制御信号が受信された場合に、前記方向調整用受光センサを回転させることを特徴とするディスプレイ装置。
【請求項６】
制御信号の受信範囲が所定の角度領域に制限された受光センサを回転させた状態で前記制御信号を受信し、受信した前記制御信号に応じて表示パネルの姿勢を異なるものとするディスプレイ装置に、前記制御信号を送信するリモートコントローラであって、
前記表示パネルの姿勢を異ならせるための操作が入力されると、前記受光センサが所定の角度だけ回転するのに要する時間以上、前記制御信号を送信することを特徴とするリモートコントローラ。
【請求項７】
受信した制御信号に応じて表示パネルの姿勢を異なるものとするディスプレイ装置の制御方法であって、
受光センサ回転機構が、前記制御信号の受信範囲が所定の角度領域に制限された方向調整用受光センサを回転させ、
前記方向調整用受光センサが、回転された状態で前記制御信号を受信し、
表示パネル回転機構が、前記制御信号の受信レベルが最大となる前記方向調整用受光センサの向きを検出し、該検出した向きに応じて前記表示パネルを回転させることを特徴とするディスプレイ装置の制御方法。
【請求項８】
請求項７記載のディスプレイ装置の制御方法において、
前記制御信号の受信範囲が前記方向調整用受光センサよりも広いセンシング用受光センサが、前記制御信号を受信し、
前記受光センサ回転機構が、前記センシング用受光センサにより前記制御信号が受信された場合に、前記方向調整用受光センサを回転させることを特徴とするディスプレイ装置の制御方法。
【発明の詳細な説明】
【技術分野】
【０００１】
本発明は、表示システム、ディスプレイ装置、リモートコントローラ、およびディスプレイ装置の制御方法に関する。
【背景技術】
【０００２】
液晶ディスプレイ装置を初めとするディスプレイ装置は、表示パネルに表示された画像を斜め方向から視聴すると画質が劣化してしまうという不具合がある。そのため、近年、視聴者のいる方向に表示パネルの姿勢を調整する方法が検討されている。【０００３】
表示パネルの姿勢を調整する方法として検討されているものには、例えば、ディスプレイ装置を遠隔操作するリモートコントローラに表示パネルの向きを調整するための方向キー（例えば、左キーおよび右キー）を設け、視聴者による方向キーの押下により表示パネルの姿勢を調整する方法がある。この方法によれば、視聴者により方向キーが押下されている間、リモートコントローラは、押下されている方向キーを示す制御信号を送信する。ディスプレイ装置は、リモートコントローラから送信されてきた制御信号を受光センサにより受信し、受信した制御信号が示す方向キーの方向に表示パネルを向ける。【０００４】
また、特許文献１（特開２００８−２８８９６３号公報）では、複数の受光センサをディスプレイ装置の前面に設置する方法が検討されている。この方法によれば、ディスプレイ装置は、複数の受光センサによる制御信号の受信状態から制御信号が送信されてきた方向を検出し、その検出した方向に表示パネルを向ける。
【先行技術文献】
【特許文献】
【０００５】
【特許文献１】特開２００８−２８８９６３号公報
【発明の概要】
【発明が解決しようとする課題】
【０００６】
しかしながら、リモートコントローラに設けられた方向キーの押下により表示パネルの姿勢を調整する方法では、視聴者は表示パネルが希望の向きとなるように方向キーを操作して調整しなければならず、手間がかかるという課題があった。【０００７】
また、特許文献１に記載の方法では、制御信号が送信されてきた方向の検出精度は受光センサの数に比例するため、その検出精度を上げて表示パネルの向きを精度良く調整するには、受光センサの数を増やさなければならないという課題があった。【０００８】
本発明の目的は、上述した課題を解決することができる表示システム、ディスプレイ装置、リモートコントローラ、およびディスプレイ装置の制御方法を提供することにある。
【課題を解決するための手段】
【０００９】
上記目的を達成するために本発明の表示システムは、
受信した制御信号に応じて表示パネルの姿勢を異なるものとするディスプレイ装置と、前記制御信号を送信するリモートコントローラと、を具備する表示システムであって、
前記ディスプレイ装置は、
前記表示パネルの向きを回転させる表示パネル回転機構と、
前記制御信号の受信範囲が所定の角度領域に制限された方向調整用受光センサと、
前記方向調整用受光センサの向きを前記表示パネルと同じ回転軸にて回転させる受光センサ回転機構と、を有し、
前記方向調整用受光センサは、前記受光センサ回転機構により回転された状態で前記制御信号を受信し、
前記表示パネル回転機構は、前記制御信号の受信レベルが最大となる前記方向調整用受光センサの向きを検出し、該検出した向きに応じて前記表示パネルを回転させることを特徴とする。【００１０】
上記目的を達成するために本発明のディスプレイ装置は、
受信した制御信号に応じて表示パネルの姿勢を異なるものとするディスプレイ装置であって、
前記表示パネルの向きを回転させる表示パネル回転機構と、
前記制御信号の受信範囲が所定の角度領域に制限された方向調整用受光センサと、
前記方向調整用受光センサの向きを前記表示パネルと同じ回転軸にて回転させる受光センサ回転機構と、を有し、
前記方向調整用受光センサは、前記受光センサ回転機構により回転された状態で前記制御信号を受信し、
前記表示パネル回転機構は、前記制御信号の受信レベルが最大となる前記方向調整用受光センサの向きを検出し、該検出した向きに応じて前記表示パネルを回転させることを特徴とする。【００１１】
上記目的を達成するために本発明のリモートコントローラは、
制御信号の受信範囲が所定の角度領域に制限された受光センサを回転させた状態で前記制御信号を受信し、受信した前記制御信号に応じて表示パネルの姿勢を異なるものとするディスプレイ装置に、前記制御信号を送信するリモートコントローラであって、
前記表示パネルの姿勢を異ならせるための操作が入力されると、前記受光センサが所定の角度だけ回転するのに要する時間以上、前記制御信号を送信することを特徴とする。【００１２】
上記目的を達成するために本発明のディスプレイ装置の制御方法は、
受信した制御信号に応じて表示パネルの姿勢を異なるものとするディスプレイ装置の制御方法であって、
受光センサ回転機構が、前記制御信号の受信範囲が所定の角度領域に制限された方向調整用受光センサを回転させ、
前記方向調整用受光センサが、回転された状態で前記制御信号を受信し、
表示パネル回転機構が、前記制御信号の受信レベルが最大となる前記方向調整用受光センサの向きを検出し、該検出した向きに応じて前記表示パネルを回転させることを特徴とする。
【発明の効果】
【００１３】
本発明によれば、表示パネルが希望の向きとなるように視聴者がリモートコントローラのキーを操作して調整する必要がなくなり、手間を減らすことができ、また、受光センサの数を増やすことなく、精度良く表示パネルの姿勢を調整することができる。
【図面の簡単な説明】
【００１４】
【図１】本発明の一実施形態のディスプレイ装置が適用される表示システムを示す図である。
【図２】図１に示す受光センサ部の構成を示す図である。
【図３】図２に示す受光センサによる制御信号の受信範囲を示す図である。
【図４】図１に示すディスプレイ装置の内部構成を示すブロック図である。
【図５】図１に示すディスプレイ装置の動作を示すフローチャートである。
【図６】図２に示す受光センサの回転範囲を示す図である。
【図７】図２に示す受光センサによる制御信号の受信レベルを示す図である。
【発明を実施するための形態】
【００１５】
以下に、本発明を実施するための形態について図面を参照して説明する。
【００１６】
図１は、本発明による一実施形態のディスプレイ装置が適用される表示システムを示す図である。
【００１７】
図１に示す表示システム１０は、リモートコントローラ１００と、ディスプレイ装置２００と、を具備する。
【００１８】
リモートコントローラ１００は、ディスプレイ装置２００を遠隔操作するための種々の制御信号（赤外線信号）をディスプレイ装置２００に送信する。例えば、リモートコントローラ１００は、ディスプレイ装置２００の表示方向調整用キーが設けられており、表示方向調整用キーが押下されると、表示方向の調整が必要であることを示す方向調整用の制御信号を一定時間送信する。
【００１９】
ディスプレイ装置２００は、受光センサ部２１０と、台座２２０と、表示パネル２３０と、を有する。
【００２０】
受光センサ部２１０は、ディスプレイ装置２００の前面に設けられ、リモートコントローラ１００から送信されてきた制御信号を受信する。なお、受光センサ部２１０は、赤外線を透過するカバーで覆われている。
【００２１】
台座２２０は、表示パネル２３０を支持すると共に、表示パネル２３０の向きを水平方向に回転させるための不図示の表示パネル回転用モータを有しており、表示パネル２３０を水平方向に回転させる。
【００２２】
リモートコントローラ１００は、表示方向調整用キーが押下されると、方向調整用の制御信号を一定時間送信する。ディスプレイ装置２００の受光センサ部２１０は、リモートコントローラ１００から送信されてきた方向調整用の制御信号を受信すると、その制御信号が送信されてきた方向を検出し、その検出した方向に表示パネル２３０を回転させる。ここで、制御信号が送信されてきた方向に視聴者がいると考えられるので、その検出した方向に表示パネル２３０を向けることで、視聴者に正対する向きに調整することができる。
【００２３】
なお、制御信号が送信されてきた方向の検出方法の詳細については後述する。
【００２４】
図２は、受光センサ部２１０の構成を示す三面図および斜視図である。図２において、（ａ）は受光センサ部２１０の上面図、（ｂ）は受光センサ部２１０の正面図、（ｃ）は受光センサ部２１０の側面図、（ｄ）は受光センサ部２１０の斜視図である。
【００２５】
図２に示すように、受光センサ部２１０は、受光センサ２１１と、受光センサ２１２と、フード２１３と、回転台２１４と、ケース２１５と、受光センサ回転用モータ２１６と、を有する。
【００２６】
なお、受光センサ２１１は、方向調整用受光センサの一例であり、受光センサ２１２は、センシング用受光センサの一例である。
【００２７】
受光センサ２１１および受光センサ２１２は、リモートコントローラ１００から送信されてきた制御信号を受信する。
【００２８】
ここで、受光センサ２１１は、赤外線を透過させず、かつ、内側は赤外線の乱反射を抑えるフード２１３で囲われている。このようなフード２１３は、上記の特性を奏するための処理を施したもの、または、上記の特性を奏する素材で作成することにより実現される。フード２１３で囲まれることにより、受光センサ２１１の制御信号の受信範囲は、所定の角度領域に制限される。なお、所定の角度領域は、要求される制御信号の送信方向の検出精度により定められ、要求される検出精度が高いほど、角度領域は狭くなる。
【００２９】
受光センサ２１１およびフード２１３は、回転台２１４上に配置されている。
【００３０】
また、受光センサ２１２は、ケース２１５の底部に固定されている。
【００３１】
フード２１３および回転台２１４には、垂直方向を回転の中心とした回転台軸があり、ケース２１５の回転台軸受部で保持されており、水平方向に回転することができる。更に、回転台２１４の一部には、受光センサ回転用モータ２１６のギアと噛み合うためのギアがあり、受光センサ回転用モータ２１６を駆動させることにより回転台２１４が水平方向に回転する。
【００３２】
次に、受光センサ２１１および受光センサ２１２による制御信号の受信範囲について説明する。
【００３３】
なお、以下では、ディスプレイ装置２００の正面方向を０度とし、正面方向から反時計回りの方向を正方向とする。
【００３４】
図３（ａ）および（ｂ）はそれぞれ、受光センサ２１１が、ディスプレイ装置２００の正面方向を向いている場合、および、ディスプレイ装置２００の正面方向から＋２５度の方向を向いている場合の受光センサ２１１および受光センサ２１２による制御信号の受信範囲を示す。
【００３５】
受光センサ２１１の受信範囲は、フード２１３に囲まれているために、受光センサ２１１の正面方向に鋭い指向性を有する。また、ディスプレイ装置２００から見た受光センサ２１１の受信範囲は、受光センサ２１１の向きにより変化する。そのため、リモートコントローラ１００から制御信号が送信されてくる方向が、受光センサ２１１の受信範囲内である場合には受信レベルが高くなり、それ以外の場合には受信レベルが低くなる。従って、受光センサ２１１による制御信号の受信レベルが高くなった際の受光センサ２１１の回転角度から、制御信号が送信されてくる方向を検出することができる。
【００３６】
一方、受光センサ２１２は、受光センサ部２１０のケース２１５に固定されているため、受信範囲は一定であり、受光センサ２１１の受信範囲よりも広い。そのため、受光センサ２１２は、広範囲からの制御信号の受信に適している。
【００３７】
次に、ディスプレイ装置２００の構成について説明する。
【００３８】
図４は、ディスプレイ装置２００の構成を示すブロック図である。
【００３９】
図４に示すように、ディスプレイ装置２００は、受光センサ２１１と、受光センサ２１２と、受光センサ回転用モータ２１６と、表示パネル回転用モータ２２１と、制御部２４０と、を有する。
【００４０】
また、制御部２４０は、メモリ２４１と、受信レベル最大値比較部２４２と、受光センサ回転用モータ制御部２４３と、表示パネル回転用モータ制御部２４４と、ＣＰＵ２４５と、を有する。
【００４１】
なお、図４においては、受光センサ部２１０内のフード２１３、回転台２１４、およびケース２１５と、台座２２０と、表示パネル２３０と、については記載を省略している。
【００４２】
以下では、視聴者によりリモートコントローラ１００に設けられた表示方向調整用キーが押下されたものとして説明する。
【００４３】
リモートコントローラ１００は、視聴者により表示方向調整用キーが押下されると、方向調整用の制御信号を所定の時間送信する。なお、この所定の時間は、受光センサ２１１が所定の角度だけ回転するのに要する時間以上の時間が設定される。
【００４４】
受光センサ２１１は、受光センサ回転用モータ２１６により水平方向に回転された状態で所定の時間送信されてくる方向調整用の制御信号を受信し、各回転角度での制御信号の受信レベルを制御部２４０に出力する。
【００４５】
受光センサ２１２は、上述のように固定された状態で制御信号を受信し、受信した制御信号を示す情報を制御部２４０に出力する。
【００４６】
受光センサ回転用モータ２１６は、受光センサ回転用モータ制御部２４３からの指示に基づき、受光センサ２１１を水平方向に所定の角度の範囲で回転させる。なお、この所定の角度は、リモートコントローラ１００から制御信号が送信されてくる方向の検出を行う範囲により定まる。
【００４７】
表示パネル回転用モータ２２１は、表示パネル回転用モータ制御部２４４からの指示に基づき、表示パネル２３０を水平方向に回転させる。即ち、表示パネル回転用モータ２２１は、受光センサ２１１と同じ回転軸にて表示パネル２３０を回転させる。
【００４８】
メモリ２４１には、受光センサ２１１による制御信号の受信レベルの最大値、およびその受信レベルで受信された際の受光センサ２１１の回転角度が記憶情報として記憶される。なお、受光センサ２１１による制御信号の受信開始時には、その開始時での受信レベルおよび開始時の受光センサ２１１の回転角度が記憶情報として記憶される。
【００４９】
受信レベル最大値比較部２４２は、メモリ２４１に記憶された制御信号の受信レベルと受光センサ２１１の各回転角度での制御信号の受信レベルとを比較し、受光センサ２１１による制御信号の今回の受信レベルが、メモリ２４１に記憶された受信レベルよりも大きい場合には、メモリ２４１に記憶されている記憶情報を、今回の受信レベルおよびその受信レベルで受信された際の受光センサ２１１の回転角度に更新する。
【００５０】
受光センサ回転用モータ制御部２４３は、受光センサ２１２により方向調整用の制御信号が受信されると、その制御信号が送信されてくる所定の時間内に受光センサ２１１を水平方向に所定の角度の範囲で回転させるように受光センサ回転用モータ２１６に指示する。
【００５１】
表示パネル回転用モータ制御部２４４は、受光センサ２１１の回転が終了すると、メモリ２４１に記憶された記憶情報から受光センサ２１１による制御信号の受信レベルが最大となる受光センサ２１１の向きを検出し、その検出した方向に応じて、表示パネル２３０を回転させるように表示パネル回転用モータ２２１に指示する。
【００５２】
ＣＰＵ２４５は、制御部２４０内の上述した各部を制御する。
【００５３】
次に、ディスプレイ装置２００の動作について説明する。
【００５４】
図５は、表示パネル２３０の向きの調整時の動作を示すフローチャートである。
【００５５】
なお、以下では、図６に示すように、受光センサ２１１は、検出開始角度（−５０度）から検出終了角度（＋５０度）まで回転されるものとする。また、リモートコントローラ１００は、＋２５度の方向から制御信号を送信するものとする。
【００５６】
まず、ＣＰＵ２４５は、メモリ２４１に記憶された記憶情報（前回、表示パネル２３０の向きの調整を行った際の、受光センサ２１１の受信レベルおよび回転角度）を初期化（クリア）する（ステップＳ１）。
【００５７】
受光センサ回転用モータ制御部２４３は、受光センサ２１１を検出開始角度（−５０度）まで回転させるように受光センサ回転用モータ２１６に指示し、受光センサ回転用モータ２１６は、その指示に従い、受光センサ２１１を検出開始角度まで回転させる（ステップＳ２）。
【００５８】
リモートコントローラ１００から方向調整用の制御信号が送信されると、受光センサ２１２は、その制御信号を受信し（ステップＳ３）、受信した方向調整用の制御信号を制御部２４０に出力する。
【００５９】
受信レベル最大値比較部２４２は、受光センサ２１１による制御信号の受信確認を行う（ステップＳ４）。
【００６０】
受光センサ２１２により方向調整用の制御信号が受信され、受光センサ２１１による制御信号の受信が確認されなかった場合（ステップＳ４：Ｎｏ）、受光センサ回転用モータ制御部２４３は、受光センサ２１１の回転角度が検出終了角度（＋５０度）に達したか否かを判定する（ステップＳ７）。この時点では、受光センサ２１１の回転角度は−５０度であり、＋５０度に達していないので、受光センサ回転用モータ制御部２４３は、受光センサ２１１を正方向に所定の角度分だけ回転させるように、受光センサ回転用モータ２１６に指示し、受光センサ回転用モータ２１６は、その指示に従い、受光センサ２１１を所定の角度分だけ回転させる（ステップＳ８）。
【００６１】
その後、再び、受信レベル最大値比較部２４２は、受光センサ２１１による制御信号の受信確認を行う（ステップＳ４）。
【００６２】
受光センサ２１１による制御信号の受信が確認された場合（ステップＳ４：Ｙｅｓ）、受信レベル最大値比較部２４２は、その制御信号の受信レベルがメモリ２４１に記憶された受信レベルよりも大きいか否かを判定する（ステップＳ５）。
【００６３】
なお、受信レベル最大値比較部２４２は、初めて受光センサ２１１による制御信号の受信が確認された際には、その時点での受光センサ２１１の回転角度の情報を受光センサ回転用モータ制御部２４３から取得し、その制御信号の受信レベルおよび回転角度を記憶情報としてメモリ２４１に記憶させる。その後、上述したステップＳ７およびＳ８の処理が行われる。
【００６４】
今回の制御信号の受信レベルがメモリ２４１に記憶された受信レベル以下の場合（ステップＳ５：Ｎｏ）、上述したステップＳ７およびＳ８の処理が行われる。
【００６５】
一方、今回の制御信号の受信レベルがメモリ２４１に記憶された受信レベルより大きい場合（ステップＳ５：Ｙｅｓ）、受信レベル最大値比較部２４２は、メモリ２４１に記憶されている記憶情報を、今回の制御信号の受信レベルおよびその受信レベルで受信された際の受光センサ２１１の回転角度に更新する（ステップＳ６）。その後、上述したステップＳ７およびＳ８の処理が行われる。
【００６６】
受光センサ２１１の回転角度が検出終了角度に達した場合（ステップＳ７：Ｙｅｓ）、表示パネル回転用モータ制御部２４４は、メモリ２４１に記憶された記憶情報から制御信号の受信レベルが最大となる受光センサ２１１の向きを検出し、その検出した向きに表示パネル２３０を回転させるように表示パネル回転用モータ２２１に指示する。表示パネル回転用モータ２２１は、表示パネル回転用モータ制御部２４４からの指示に従い、表示パネル２３０を回転させる（ステップＳ９）。
【００６７】
図７は、受光センサ２１１の各回転角度での制御信号の受信レベルを示す図である。
【００６８】
上述したように、リモートコントローラ１００からは、＋２５度の方向から制御信号が送信されている。
【００６９】
受光センサ２１１の受信範囲は、受光センサ２１１の正面方向に鋭い指向性を有するため、リモートコントローラ１００から制御信号が送信されてくる＋２５度の回転角度の前後で、制御信号の受信が確認され、受光センサ２１１の回転角度が、リモートコントローラ１００と正対する、＋２５度の場合に、受信レベルが最大となる。メモリ２４１には、記憶情報として、制御信号の受信レベルが最大となった際の回転角度（＋２５度）が記憶され、その回転角度の方向に表示パネル２３０を回転させることで、視聴者に正対する向きに表示パネル２３０の向きを調整することができる。
【００７０】
このように本実施形態によれば、リモートコントローラ１００は、表示方向調整用キーが押下されると、方向調整用の制御信号を所定の時間送信する。また、ディスプレイ装置２００は、制御信号の受信範囲が所定の角度領域に制限された受光センサ２１１を回転させた状態で、リモートコントローラ１００から所定の時間送信されてくる制御信号を受信し、制御信号の受信レベルが最大となる受光センサ２１１の向きを検出し、その検出した向きに応じて、表示パネル２３０を回転させる。
【００７１】
そのため、一度、表示パネル２３０の姿勢を調整するためのキー操作を行えば制御信号が所定の時間送信され、その制御信号を受信する受光センサ２１１の向きに応じて、表示パネル２３０の向きが調整されるので、表示パネル２３０が希望の表示方向となるようにキー操作を続ける必要がなくなり、調整の手間を減らすことができ、また、受光センサ２１１の制御信号の受信範囲を適切に設定することで、受光センサの数を増やすことなく、精度良く表示パネル２３０の姿勢を調整することができる。
【００７２】
なお、本実施形態においては、ディスプレイ装置２００は、水平方向に表示パネル２３０の向きを調整する例について説明したが、本発明はこれに限られるものではない。例えば、受光センサ２１１および表示パネル２３０を垂直方向に回転させる機構を組み合わせて設けることにより、水平方向に加えて垂直方向に表示パネル２３０の向きを調整することができ、調整の自由度を向上することができる。
【００７３】
また、本実施形態においては、リモートコントローラ１００とディスプレイ装置２００との間で制御信号として赤外線信号が送受信される例について説明したが、本発明はこれに限られるものではなく、赤外線信号以外の無線信号、例えば、超音波を用いて送受信を行うこととしてもよい。
【００７４】
以上、実施形態を参照して本願発明を説明したが、本発明は上記実施形態に限定されるものではない。本願発明の構成や詳細には、本願発明の範囲内で当業者が理解し得る様々な変更をすることができる。
【図１】
2011142016.tif 000003
【図２】
2011142016.tif 000004
【図３】
2011142016.tif 000005
【図４】
2011142016.tif 000006
【図５】
2011142016.tif 000007
【図６】
2011142016.tif 000008
【図７】
2011142016.tif 000009
【国際調査報告】
2011142016.tif 000010
2011142016.tif 000011
2011142016.tif 000012
2011142016.tif 000013